(57)【要約】  二重自由空間光通信を提供する方法であって、タイムシフトキーイング（ＴＳＫ）によってエンコードされた信号を受信すること、およびオン−オフキーイング（ＯＯＫ）信号を送信するために、受信したＴＳＫパルスを選択的に再変調し、場合によっては逆反射させること、を備える方法。関連の装置および信号も提供される。
2009512890.tif 000002
【特許請求の範囲】
【請求項１】
二重光通信を提供する方法であって、
タイムシフトキーイングによってエンコードされた信号を受信すること、および
オン−オフ信号を送信するために、受信したパルスを選択的に変調すること
を備える方法。
【請求項２】
変調器が、受信したパルスを選択的に反射させる、請求項１に記載の方法。
【請求項３】
反射されるパルスが、逆反射される、請求項１または２に記載の方法。
【請求項４】
選択的に透過性となる素子であって、動作時に、タイムシフトキーイングによってエンコードされた入射信号の連続するパルスを選択的に変調して、オン−オフエンコードされた信号をもたらすように構成された素子
を備える、光信号変調器。
【請求項５】
連続するパルスを選択的に変調したパルスを反射させるように構成された反射器
をさらに備える、請求項４に記載の光変調器。
【請求項６】
反射器が、逆反射器である、請求項５に記載の光変調器。
【請求項７】
オン−オフのパルスによってエンコードされた信号であって、第２のタイムシフトキーイングによってエンコードされた光信号に応答して生成された信号を備え、
信号のオンパルスが、第２のタイムシフトキーイングによってエンコードされた光信号の時間シフトの特徴を呈している、光通信信号。
【請求項８】
タイムシフトキーイングによってエンコードされた第１の信号と、オン−オフによってエンコードされた第２の信号とを備え、
オン−オフ信号のパルスが、タイムシフトキーイングによってエンコードされた第１の信号の対応するパルスを時間遅延させてなる導出物であり、
オン−オフ信号のパルスが、タイムシフトキーイングによってエンコードされた第１の信号のパルスから派生した時間シフトの特徴を呈している、複合光信号。
【発明の詳細な説明】
【技術分野】
【０００１】
本発明は、光通信、特には自由空間光通信（これに限られるわけではないが）のための装置、方法、信号、および他の関連の態様、ならびにそれらを取り入れてなるシステムに関する。
【背景技術】
【０００２】
自由空間光通信システムの可能性は、視線上の２点の間に広帯域のデータリンクをもたらすための手段として、広く認知されている。そのようなシステムについて、大都市地域における通信リンクの構成要素としての用途、および開いた間取りの事務所（ｏｐｅｎ  ｐｌａｎ  ｏｆｆｉｃｅ）におけるローカルエリアネットワークの構成要素としての用途など、いくつかの用途が考えられている。
【０００３】
本出願と同時に係属中である米国特許出願第１０／４８３，７３８号（Ａ．Ｍ．Ｓｃｏｔｔら）が、間隔を制御することができるエタロンとエタロンを介して受信される光を再びエタロンを通って光源に向かって反射させるように構成された逆反射器とを組み合わせて使用する動的な光反射器およびインタロゲーションシステムを開示している。
【発明の開示】
【発明が解決しようとする課題】
【０００４】
本発明は、一般的には光通信、特には自由空間光通信のための優れた方法、装置、および信号を提供することを目的とする。
【課題を解決するための手段】
【０００５】
本発明の第１の態様によれば、二重光通信を提供する方法であって、タイムシフトキーイングによってエンコードされた信号を受信すること、およびオン−オフ信号を送信するために、受信したパルスを選択的に変調すること、を備える方法が提供される。
【０００６】
変調器が、受信したパルスを選択的に透過させることができる。
【０００７】
透過したパルスを、逆反射させることができる。
【０００８】
さらに本発明は、通信の目的のためのシステムであって、本発明を具現化する装置の１つ以上の実例を、他のさらなる装置とともに備えるシステムに関する。
【０００９】
特には、本発明のさらなる態様によれば、選択的に透過性となる素子であって、動作時に、タイムシフトキーイングによってエンコードされた入射信号の連続するパルスを選択的に変調して、オン−オフエンコードされた信号をもたらすように構成された素子、を備える光信号変調器が提供される。
【００１０】
光変調器は、連続するパルスを選択的に逆反射させるように構成された逆反射器を備えることができる。
【００１１】
変調器は、変調された連続するパルスを反射させるための反射器を備えることができる。
【００１２】
反射器は、逆反射器であってよい。
【００１３】
さらに本発明は、本発明の他の態様によって使用される信号にも向けられている。
【００１４】
特には、本発明のさらなる態様によれば、オン−オフのパルスによってエンコードされた信号であって、タイムシフトキーイングによってエンコードされた第２の光信号に応答して生成された信号を備え、信号のオンパルスが、タイムシフトキーイングによってエンコードされた第２の光信号の時間シフトの特徴を呈している光通信信号が提供される。
【００１５】
本発明のさらなる態様によれば、タイムシフトキーイングによってエンコードされた第１の信号と、オン−オフによってエンコードされた第２の信号とを備え、オン−オフ信号のパルスが、タイムシフトキーイングによってエンコードされた第１の信号の対応するパルスを時間遅延させてなる導出物であり、オン−オフ信号のパルスが、タイムシフトキーイングによってエンコードされた第１の信号のパルスから派生した時間シフトの特徴を呈している複合光信号が提供される。
【００１６】
さらに本発明は、機械で読み取ることができる形式のコンピュータソフトウェアであって、動作時に上記装置および／または方法のすべての機能を実行するように構成されたコンピュータソフトウェアを提供する。
【００１７】
当業者にとって明らかであるとおり、好ましい特徴を適宜に組み合わせることができ、本発明の任意の態様に組み合わせることができる。
【００１８】
次に、本発明をどのように実行に移すことができるかを示すため、本発明の実施形態を、以下で添付の図面を参照しつつ、あくまで例として説明する。
【発明を実施するための最良の形態】
【００１９】
図１ａから図１ｃを参照すると、（１つ以上の）光ビームの強度を制御するために使用できる変調器が、単一の素子１０にもとづいており、あるいは１つ以上のマイクロミラー１０が基板１３の上方に支持１２されているＭＯＥＭＳミラー構造のアレイ１１にもとづいている。この構成を、基板（例えば、シリコン）が光学的に透過性である波長の透過に使用することができ、実質的により広い範囲の波長の反射に使用することができる。
【００２０】
個々の素子は、１ミクロン未満から数ミクロンの間の間隔にて基板１３の上方に支持されたマイクロミラー１０を有する。マイクロミラーは、基板とマイクロミラーとの間に電圧が加えられたときに、静電気力によってマイクロミラーが平衡位置（電圧が加えられていない）から基板に向かって引かれるように、ばね１４によって支持されている。
【００２１】
電圧駆動の静電気デバイスにおいては、所与のしきい値未満であれば、静電気力がデバイスの変位に起因する機械的な復帰力と平衡して、デバイスが安定な平衡状態となる。このしきい値を超えると、静電気力が復帰力を超え、マイクロミラーが基板に向かって制御不能に移動する（一般に「ラッチ」、「プルイン」、または「プルダウン」として知られている状態）ため、デバイスは不安定になる。しきい値を超える電圧を加えることで、所与の駆動電圧においてより大きな範囲（典型的には、しきい値未満の仕組みに対して約３倍）でミラーを動かすことができる。
【００２２】
マイクロミラーは、任意の平面形状であってよいが、実質的に平坦かつ基板に平行でなくてはならない。マイクロミラーは、有利には正方形であってよいが、他の形状であってもよい。アレイにおいて密に密集させることができる形状（例えば、三角形、長方形、および六角形）が、特に好ましい。
【００２３】
このデバイスへと光１５ａが導かれると、光の一部は反射１５ｂされ、一部は基板へと透過１５ｃして、反対側から出る（基板が透過性であるような波長の場合）。支持ミラーによる反射および透過光が、基板による反射および透過光と干渉し、したがってデバイスの実際の透過および反射は、デバイスへの光の入射の角度、支持ミラーと基板との間の間隔、ならびに支持マイクロミラーの厚さ、マイクロミラーの素材の屈折率、および入射光の波長などといったシステムの他の所定の特性に応じて、高低の値の間でさまざまである。
【００２４】
動作時、マイクロミラーと基板との間の間隔が変化するにつれ、透過が高低の値の間で変化し、すなわち入射光の変調手段がもたらされる。変調は、透過または反射モードにて機能することができる。マイクロミラーが、典型的には厚さが１ミクロン未満であって、シリコンが高度に吸収性である可視の領域においても半透明であり、したがってシリコンから製作される変調器を、可視の帯域において反射に使用できることに留意されたい。当業者にとって明らかであると考えられるが、例えば二酸化シリコンまたはチッ化シリコンなど、シリコン以外の材料も使用可能である。この場合、基板は、透明でなければならない（例えば、二酸化シリコンまたはチッ化シリコンであってよい）と考えられ、マイクロミラーおよび底層は、二酸化シリコンまたはチッ化シリコン、あるいはシリコンの薄い層または材料の組み合わせであると考えられる。
【００２５】
変調器の透過および反射特性を、本明細書の式２に提示されるように、ファブリーペローエタロンによる透過および反射についての既知の式を使用して、説明することができる。反射および透過光が、位相のシフトならびに振幅の変化を受けることに、留意されたい。これを、光ビームの位相の変調が求められるデバイスにおいて利用することも可能である。
【００２６】
マイクロミラーは、ミラーを密にタイル状に並べることによって広い領域を覆うアレイとして製造される場合、空間光変調器（ＳＬＭ）となる。ＳＬＭにおいて、マイクロミラーを、個々に制御することができ、グループにて制御することができ、あるいはすべてをまとめて制御することができる。好ましくは、マイクロミラーアレイの素子が、コヒーレントに動くように構成または操作され、すなわち得られる光の位相がアレイの全体にわたって一様であるように、同じタイミングおよび振幅で同期して動くように構成され、多数の（おそらくはすべての）マイクロミラーのグループにおいて、デバイスへと入射する波面の各部に実質的に一様な効果をもたらすために、素子が一緒に動く。これは、変調された光の回折特性が、広がった波面によって決定され、単一のマイクロミラー素子による回折によって決定されるわけではないという利益を有する。小さなミラーからなるアレイは、より大きなデバイスと比べたとき、ミラーの平坦性を良好に保ちつつ、高い速度の達成を可能にする。
【００２７】
マイクロミラーはそれぞれ、２つの電圧状態を使用して制御されたときのミラーの位置を確証できる２つの安定位置の間で操作される。その第１は、ミラーと基板との間に電圧が加えられていない（あるいは、所与のしきい値を下回る電圧が加えられている）ときに、マイクロミラー１０が基板の上方に動かずに支持されている「平衡位置」である。電圧が加えられない実施形態においては、支持ばね１４の伸びは存在しない。別の実施形態においては、変調器の状態が変化するときに電池を充電することによって変調器の全体としての電力消費を低減するために、しきい値未満の電圧が加えられる。ミラーは、静電気力と機械的な力とが平衡するより下方の平衡位置（元の平衡位置（電圧が加えられていない）と基板との間）に位置することになる。
【００２８】
第２の位置は、しきい値を超える電圧が加えられ、マイクロミラーが基板に向かって強く引き下げられた「プルダウン」位置である。
【００２９】
絶縁ストッパ（例えば、ボスまたは他の隆起した電気絶縁性のフィーチャ）１６を、基板とマイクロミラーとの間に設けることができ、したがって電圧がしきい値を超えたとき、ミラーがストッパへと引き寄せられて当接するが、それ以上基板に向かって引き寄せられることはない。したがって、このようなプルダウンストッパによれば、望ましくないマイクロミラーと基板との間の電気的接触を防止することができる。そのような電気的接触は、短絡および電気的損傷につながりかねない。さらに、１つ以上の終端ストッパを取り入れることで、プルダウン位置にあるときのミラーと基板との間に、所定のオフセットを定めることができる。さらに、機械的な減衰がもたらされ、静止までの時間が短くなる。有利なことに、このオフセットを、幅広い角度範囲にわたって透過が少ない状態に対応するように、特定的に設計することができる。好ましくは、終端ストッパは、機械的な接触の付着エネルギーに打ち勝つべく追加のエネルギーをもたらすために、プルダウン位置のミラーにわずかな湾曲をもたらすことができるように構成される。考えられる一実施形態においては、実質的に正方形または矩形のミラーが、ミラーのそれぞれの角またはその付近、ならびにミラーの中央またはその付近に、終端ストッパを取り入れている。
【００３０】
ミラーは、ＭＥＭＳプロセス、好ましくは多結晶シリコン表面マイクロマシニングプロセスを使用して実現できる。好ましくは、終端ストッパが、基板上の１つ以上のブシュ１６（絶縁されたアイランド）およびミラーの下方のくぼみ１７を使用して実現される。さらに好ましくは、ブシュを、チッ化シリコンおよび／または多結晶シリコンで構成でき、ミラーおよびくぼみを、多結晶シリコンで構成できる。
【００３１】
小さな電圧が加えられたとき、マイクロミラーは、平衡位置からわずかな量だけ移動する。電圧が特定のしきい値を超えると、この移動が不安定になり、マイクロミラーが「プルダウン位置」へとぱたりと落ち込む（ｓｎａｐ  ｄｏｗｎ）。アナログの制御電圧を加えて、マイクロミラーを基板からの任意の距離へと動かすことは、電圧について微細な制御が必要であり、アレイ内のミラー間で経路長が相違するがために電圧降下に左右されやすいことから、困難である。通常または単純な制御システムにおいては、アナログ制御のもとでのマイクロミラーの移動は、平衡位置とプルダウン位置との間の道程のうちの約３分の１に限られ、その後にマイクロミラーは、勢いよく完全なプルダウン位置へと移動してしまう。実際には、本発明においては、このスナップダウン位置が好ましく使用され、２つの不連続な電圧状態を使用してマイクロミラーが平衡位置とプルダウン位置との間で好ましく切り替えられる。
【００３２】
マイクロミラーに印加電圧信号からもたらされる力が加えられるとき、その運動は、ミラーの機械的な共振周波数および大気の減衰効果によって決定される。ミラーならびにミラーのばね系が、通常の市販のソフトウェアツールで割り出すことができる共振周波数にて、古典的な共振器として挙動する。所与の構成における正確な共振周波数は、ばねの強さおよびミラーの質量ならびに減衰の程度に依存する。例えば、２つの直線ばねおよびサイズが２５ミクロン×２５ミクロンであるミラーからなる典型的な構造においては、この共振周波数は、３００ｋＨｚ程度であり得る。より大きなミラーは、これよりも大幅に低い共振周波数を有し得る。より剛なばねを備えるデバイスは、これよりも大幅に高い共振周波数を有し得る。
【００３３】
大気圧および数十ミリバールまでの圧力においては、空気がマイクロミラーの運動を大きく減衰させ、状態間の変化に要する時間が、この減衰プロセスによって支配される。数ミリバール以下の圧力においては、マイクロミラーは、高Ｑ共振器として挙動し、すなわち強い振動の形式で運動する。この振動は、ミラーが引き下げられて、プルダウンストッパに当接して保持されるときには、プルダウンストッパが機械的な減衰をもたらすがゆえに生じないが、マイクロミラーが印加電圧をゼロ（または、プルダウン位置への保持に必要なしきい値を下回る電圧）へと切り替えることによってプルダウン位置から解放されるときに明白である。
【００３４】
マイクロミラーが真空中で解放される場合、マイクロミラーは、平衡位置に向かって跳ね上がり、次いでこの位置を中心にして、各周期の後にプルダウン位置の近くへと戻るように振動する。これに対する減衰は、おそらくはきわめて弱く、したがって運動が、きわめて予測可能な形式で継続し、振幅および周波数は、正確な真空の程度や最初にマイクロミラーを保持するために使用されていた絶対的な電圧に比較的無関係である。
【００３５】
基板の上方のマイクロミラーの変位は、
ｘ（ｔ）＝ｘ０−（ｘ０−ｘ１）ｃｏｓ（Ωｔ）ｅｘｐ（−βｔ）      （１）
によって与えられ、
ここでｘは、基板からマイクロミラーまでの距離であり、ｘ０は、平衡位置であり、ｘ１は、プルダウン位置であり、ｔは、マイクロミラーの解放からの時間であり、Ωは、共振周波数であり、βは、減衰係数である。
【００３６】
低い圧力においては、振動の減衰係数が小さく、したがって振動がオーバーシュートを呈するため、例えばプレートに必要とされる最大の離間（マイクロミラーと基板との間の離間）が１．５ミクロンである場合、平衡位置を０．７５ミクロンの付近となるように設計し、必要とされる最大の離間を達成するためにオーバーシュートに頼ることが可能である。プレートの離間の全範囲が、エタロンが基板からの最小の離間から最大の離間まで移動する第１の半サイクルにおいて対処される。半周期と全周期との間の或る時刻の後で、基板の電圧が再び印加され、プレートが振動を続けているため、再び基板に向かって移動し、マイクロミラーが印加電界によって再び拘束され、最初の「プルダウン」位置へと復帰する。１周期における典型的なプレートの離間は、時間に対して、図２に示したとおりであり、水平軸が時間を（任意単位で）示し、垂直軸がマイクロミラーの基板からの隔たりを示している。この図示の例では、平衡位置は１ミクロンである。代案として、マイクロミラーを所定の回数（１、２、または３以上）だけ振動させ、その後に電圧を再印加して、マイクロミラーをプルダウン位置に再拘束することも可能である。
【００３７】
このやり方でマイクロミラーの解放のタイミングを制御することによって、運動の全範囲にわたってミラー位置の制御を、細かな電圧の制御にではなく、タイミング制御に依存して行うことができる。そのような細かいタイミングの制御は、高速なデジタル電子機器（例えば、０．３５ミクロンのＣＭＯＳ）を使用して達成することができる。
【００３８】
次に、図３ａおよび図３ｂを参照すると、ファブリーペローエタロンにおける透過および反射の式（式２が透過を示している）を、時間とともに変化するマイクロミラーと基板との間の間隔の式に組み合わせて使用して、エタロンミラーの間隔が図３ａおよび図３ｂに示すような時間依存に従うときのマイクロミラーの透過の時間変化を割り出すことができる。図３ａが、垂直入射についての実験による透過のデータを示す一方で、図３ｂは、６０度の入射角度の場合の該当のデータを示している。やはり、水平軸が、時間を示す一方で、垂直軸は、マイクロミラーの光の透過を示している。
【００３９】
図示の第１の例においては、エタロンの面に垂直に入射する光について、マイクロミラーが上昇して基板から離れるときに２つの透過のピークが生じ、これに対応する２つのピークが、マイクロミラーが基板に向かって引き戻されるときに生じる。第２の例は、６０度の場合には、マイクロミラーが最大変位へと移動するときに透過のピークが１つ存在し、プルダウン位置へと戻るときに第２のピークが存在することを示している。しかしながら、ピークのタイミングおよび数は、光ビームの入射の角度とともに変化し、したがってエタロンのタイミングを最適化するためには、入射の角度を知ることが強く望まれる。それぞれのグラフは、２つの温度（約２０度および７０度）における透過特性を示しており、これら２つの動作値の間に良好な度合いの一貫性が見られている。
【００４０】
あるいは、振動パターンの測定を、変調器への光の入射の角度を割り出すために使用することができる（実際には、ｃｏｓ（θ）についての測定（θは入射の角度）がもたらされる）。
【００４１】
このデバイスを、検出器システムが変調器によって生み出される動的な変調を解像できるのであれば、連続波（ＣＷ）レーザ（または、予測可能なパルスパターンを有するレーザ）を制御するために使用することができる（図９ｂおよび図９ｃ）。あるいは、パルスの継続時間がマイクロミラーの振動の周期よりも有意に短いならば、繰り返しパルスレーザを制御するために使用することができる（図９ａ）。この場合、インタロゲータシステム（新たな図１０または図９ｃ）の検出器は、必ずしも変調器の動的な挙動を解像できる必要はなく、インタロゲータの個々のパルスを解像できればよい。入射パルスの到着時刻を検出する検出器からなるタイミング回路を使用することができ、入射パルスのタイミングが、次のパルスの正確な到着時刻を予測するために使用される。マイクロミラーをプルダウン位置に保持し、レーザパルスの到着予定時刻においてマイクロミラーシステムがパルスに所望の量の変調を加えるための位置にあるように、計算された時刻に解放することができる。
【００４２】
次に図４を参照すると、エタロンの動的な応答が、時間（クロックパルス）に対して示されている。最も上部の軌跡４１は、入射するレーザパルスを示しており（任意単位）、中央の軌跡４２は、マイクロミラーへと加えられる電圧（プルダウン電圧が、「２．５×１０−６」に対応し、０Ｖが、「２×１０−６」に対応している）を示しており、最も下方の軌跡４３は、基板とＭＥＯＭＳミラーとの間の間隔を示している（目盛りはメートル）。
【００４３】
レーザパルスが、最大変位の付近において到着した場合（第１および第３のパルス）、透過が最大であり、論理１が伝達される。レーザパルスが、ミラーが基板に近いときに到着した場合（第２のパルス）、透過は最小であり、論理０（ゼロ）が伝達される。
【００４４】
次に図５を参照すると、軌跡５１が、マイクロミラーの駆動電圧を示しており、軌跡５２、５３が、２つのレーザパルスの透過パワーを示している場合について、実験データを示している。マイクロミラーの解放と第１のパルスの到着との間の遅延は、透過が大５２であるようにされている。マイクロミラーの解放と第２のパルスの到着との間の遅延は、透過が小５２であるようにされている。
【００４５】
変調器を、逆反射器、検出器、および駆動用電子機器と一緒に使用して、図９ｃに示されているように遠方のインタロゲータシステムと通信できるトランスポンダを形成することができる。右側に、トランスポンダが図示される一方で、左側には、コリメータレンズ９８を備えたレーザ９５および集光レンズ９６を備えた検出器９７が示されている。トランスポンダが充分に遠く、トランスポンダからの光が回折および拡散して、レーザインタロゲータへと戻るだけでなく、広がって受信光学系にも進入する場合、検出器が、どの光がトランスポンダから反射されて戻されたのかを検出する。この場合、インタロゲータが、遠方のトランスポンダによって生み出された変調を検出する。
【００４６】
受信されるパルスに加えられる変調は、振幅変調、または移動変調、あるいは両者であってよい。
【００４７】
真にＣＷであるインタロゲータにおいては、トランスポンダが、必ずしも検出器を必要とせず、単純にインタロゲータによって検出される変調パターンを送り出すことができる。あるいは、インタロゲータの光の存在を検出するために、検出器を使用してもよい。擬似ＣＷ変調インタロゲータにおいては、トランスポンダの検出器が、インタロゲータのビーム内のタイミング情報（例えば、強度の急上昇または強度の中断）を使用し、変調をタイミング情報に同期させることができる。一連の短いパルスを生成するインタロゲータの場合には、トランスポンダが、１つのパルスの到着を検出し、このタイミング情報を、次のパルスの変調を生成するための最適なタイミングを割り出すために使用することができる。最適な解放時刻を、例えば１つのパルスの到着を検出し、到着の角度についての情報を集め、最適な遅延を割り出すべくルックアップテーブルを使用することによって決定できる。例として、システムを、パルスの透過または反射を最大値と最小値との間で切り替えるために使用することができ、もしくはパルスの振幅を、すべてが同じ強度になるように、あるいは何らかのやり方で符号化されるように、制御するために使用することができる。これを、振動の最初の半周期において行うことができる。また、これを、機械的振動の際の任意の予測可能な点において行うことも可能であり、あるいはマイクロミラーを２回振動させ、第２の振動においてパルスの変調を達成することも可能である（全二重の通信を達成したい場合に重要である）。
【００４８】
次に図６を参照すると、上述のように、１つのパルスの到着を検出し、この情報を使用して、次のパルスを変調すべくマイクロミラーを解放することができるよう、変調器６１に検出器６２を組み合わせることができる。
【００４９】
次に図７を参照すると、上述の仕組みの変種において、遠方のレーザ発光体を、繰り返しの短パルスレーザシステムを長パルスまたは連続波のレーザシステムに組み合わせて構成することができる。この構成において、短パルスを、タイミングパルスとして使用することが可能である。変調器が、タイミングのための短パルスを使用し、光の連続波部分または長パルス部分に変調を加えることができる。したがって、変調されるビームを、例えばタイミングパルスに対する変調の時間シフトによってエンコードすることができる。インタロゲータが、充分に高速な検出器または敏感な検出器を有する場合には、インタロゲータのビームにタイミング情報を持たせる必要、およびトランスポンダに検出器を持たせる必要は、必ずしもないかもしれない。インタロゲータの検出器が、時間分解された変調を検出でき、あるいは平均の逆反射パワーの小さくかつ高速な変化を検出できる。
【００５０】
図７は、タイミングパルス７１と擬似ＣＷレーザパルス７２とを含むレーザパルスによる変調器６１のインタロゲーションを示している。擬似ＣＷ部分が変調７３されている。各パルスを変調するか、あるいは変調しないかによって、ビームをエンコードすることができ、あるいは変調または時間遅延の変調の適用を選択することができる。最初のタイミングパルスを使用することができ、あるいは矩形波インタロゲーションパルスの立ち上がり縁を使用することができる（左下の例を参照）。変調されたパルスの例は、右の中ほどに示されている。
【００５１】
次に図８を参照すると、変調器６１を逆反射器８１に組み合わせ、変調逆反射器として機能させることができる。変調器のマイクロミラー素子は、例えば差し渡しが２５μｍ程度であってよく、逆反射器の素子は、大幅に大きくてよく、例えば差し渡しが５〜１５ｍｍであってよい。個々のマイクロミラーがコヒーレントに動く場合、変調器を通過する光のダイバージェンスは、アレイの全体サイズによって決定され、単一のマイクロミラーによる回折に起因するダイバージェンスによっては決定されない。比較的大きな逆反射素子を使用することは、きわめて平行な反射光ビームを形成する上で役に立つ。したがって、変調逆反射デバイスを、パルスのパターン８２を送信するレーザインタロゲータによって照射することができる。変調逆反射デバイスが、到着するパルスを変調し、パルス８３をインタロゲータへと逆反射させる。ここで、インタロゲータのパルスは、基本的にパルス状であり、逆反射される光は、完全に逆反射され、あるいは完全に減衰させられる。したがって、インタロゲータは、逆反射されたパルスを受信して、一連の「１」および「０」としてデコードできる。この変調器の構成は、パルスを検出するために検出器６２を使用することができ、１つのパルスの検出を使用して次のパルスの到着時刻を予測し、次のパルスを変調すべくマイクロミラーの解放時刻を決定するために、制御ユニット８４を使用することができる。この場合、逆反射器への到着の角度が、管理されていなければならず、あるいは逆反射システムが、マイクロミラーの最適な解放のタイミングを決定するために、何らかの形式の角度検出を使用することができる。
【００５２】
あるいは、インタロゲータおよび逆反射変調器システムの組み合わせのシステムが、性能を最適化することができる。変調器を、固定の時間遅延で動作させることができ、インタロゲータが、到着の角度を決定し、最適な変調が生じるようにパルスのタイミングを変化させることができる。
【００５３】
最大または最小の信号を生み出すための変調器の最適なタイミングは、角度に依存する。上述のシステムが、任意の角度で入射する光について機能すべき場合には、最適なミラーのタイミングが入射光の入射角度に依存して決まるため、検出器が、好ましくは、到着の角度を割り出す手段を取り入れるべきである。あるいは、インタロゲータが、タグへの入射の角度を推定する手段を備え、最大の変調が保証されるようにタグへのパルスのタイミングを変化させてもよい。
【００５４】
次に、図９ａおよび図９ｂを参照すると、選択肢として、変調逆反射デバイスを、一式の短いタイミングパルスをより強度の低い擬似連続のパルスとともに送信できる（あるいは、送信しなくてもよい）インタロゲータとともに使用することができる。変調逆反射デバイスが、低強度の擬似連続のパルスを、タイミングパルスの後の或る制御された時点において変調できる。デバイスは、このパワーをインタロゲータへと逆反射させる。この構成において、インタロゲータのパルスは、擬似ＣＷ周期での変調を含み、逆反射される光は、インタロゲータのパルス状の要素に同期されるが、変調は、インタロゲータの光の擬似ＣＷ領域へと加えられる。
【００５５】
インタロゲータによって受信される正確な変調パターンは、逆反射デバイスへの到着の角度に依存するが、インタロゲータが、特定のパターンを認識できてもよく、そこから、タイミングパルスに対する最適な時間遅延、および所望であれば入射の角度を決定することができる。
【００５６】
擬似連続の波形およびそのタイミングパルスに対するタイミングを測定することによって、インタロゲータは、波形へと加えられた時間シフトの大きさを割り出すことができ、これを１片のデータとして解釈することができる。この後者の手法の利点は、変調装置に角度検出器を取り入れる必要がなく、変調装置を、より小型にでき、より安価に製造できる点にある。
【００５７】
次に、図９ｂを参照すると、インタロゲータが、連続的な光９１を生み出すことができ、逆反射される光を、インタロゲータに関連付けられた同期を持たずに、変調９２、９３することが可能である。
【００５８】
次に、図９ｃを参照すると、全体としてのシステムが、１つ以上の上述のような変調装置を、送信器９５と検出器９７に組み合わせられた受信テレスコープ９６とを備えるインタロゲータレーザシステムとともに備える。
【００５９】
第１の角度測定モードにおいて、インタロゲータが、連続波ビームを送信し、トランスポンダから逆反射される光を測定する。トランスポンダは、おそらくはインタロゲータからのいかなる合図も使用せず、「解放および拘束」モードで動作する。「解放および拘束」の各サイクルにおいて、逆反射検出器は、図３に示した信号に定性的に類似した信号、すなわち一連の比較的はっきりした最大値および最小値を含む信号を検出する。いくつかのパルスにわたって測定を行い、積分を行うことで、検出器は、良好に解像された曲線を蓄積することができる。それらの曲線のピークのタイミングは、中央のピークまたは谷の深さまたは高さ同様、トランスポンダへの入射の角度の余弦の関数であり、データについて適切なフィッティングおよび処理を行うことによって、変調器への入射の角度の余弦を割り出すことが可能である。
【００６０】
角度測定モードの第２の実施形態においては、インタロゲータが、一連のパルスを送信し、トランスポンダから逆反射される光を測定する。トランスポンダは、「解放および拘束」モードで動作し、インタロゲータからのパルスの検出の後に、所定の時間だけ遅延させて解放時間を開始させる。「解放および拘束」の各サイクルにおいて、逆反射検出器は、トランスポンダからのパルスを検出し、各パルスの振幅を記録できる。インタロゲータが、パルスＮとパルスＮ＋１との間の時間遅延が、パルスＮ−１とパルスＮとの間の時間遅延にいくらかの増分Ｄｔを加えた値に等しくなるように、パルス間のタイミングをゆっくりと変化させる場合、結果として、各パルスが、変調器の応答曲線の異なる部分によって変調されることになり、数パルスの期間にわたり、インタロゲータは、変調器の透過プロファイルの全体をストロボ状に採取することになる。このデータによって、インタロゲータは、トランスポンダへの入射の角度を推定することができる。
【００６１】
第１の通信モードにおいて、インタロゲータは、変調装置のインタロゲートのために、パルスの列を使用する。変調装置が、到着する信号のタイミングおよび角度検出器からの角度を検出する。過去のパルス列の時間履歴から、変調装置は、次のパルスの到着時刻を予測することができる。変調装置は、内部のクロックおよびルックアップテーブルを使用し、次のパルスが到着するときに変調器によってもたらされる透過が最大または最小のとなるような時点で、マイクロミラーアレイを解放する。あるいは、最小の透過を、単にマイクロミラーをプルダウン位置に保持することによって得てもよい。受信器が、パルスを検出し、論理１であるか、あるいは論理０であるかを判断する。このモードは、最大の範囲にわたって性能をもたらす。
【００６２】
第２の通信モードにおいては、インタロゲータが、一連のタイミングパルス（あるいは、タイミングの目的に使用できる鋭い縁を有する一連の矩形パルス）を送信できる（送信しなくてもよい）。これを、インタロゲーション用の擬似連続パワーに重ねることができる。変調装置は、タイミングパルスを検出するが、到着角度の割り出しは試みない。変調装置は、２つのやり方のうちの一方で、「解放および拘束」機構を動作させる。すなわち、論理「１」を示すためにパルスを変調し、論理「０」を示すために変調を行わない（あるいは、この反対）。あるいは、２つの所定の時間遅延のうちの一方において、論理「１」または論理「０」を示すべく変調を行う。前者の利点は、低帯域の検出器で、変調が加えられたか否かを示す小さな透過の変化を検出できる点にある。後者の技法の利点は、論理「１」および論理「０」の検出が能動的に示される点にある。
【００６３】
あるいは、真のＣＷインタロゲーション９１において、変調の存在９２または非存在９３を検出することができ、あるいはインタロゲータが、信号積分時間が変調信号の高周波積分に比べて遅い場合に予想される信号強度の小さな変化を検出できるのであれば、タイムキーシフト変調の存在を検出することができる。
【００６４】
インタロゲータは、タイミングパルスおよびアナログの戻りを受信する。到着の角度にかかわらず、逆反射されたタイミングパルスを参照することによって、アナログの戻りのタイミングを認識することができる。
【００６５】
遠隔角度検出モードにおいて、目標は、遠方の変調装置への入射の角度を割り出すことにある。これは、例えば、変調装置からの信号を最大にするためにインタロゲータがどの方向に移動すべきかを判断するために、あるいは変調器の向きを割り出すために、有用であると考えられる。インタロゲータが、擬似ＣＷビームで変調器を照らし、マイクロミラーが解放および拘束されるときの時間分解された逆反射を検出する。検出された信号をテンプレートに照らし合わせることによって、プロセッサは、特定の入射角度に一致するテンプレートを特定できる。
【００６６】
強度安定化モードにおいて、目標は、（例えばシンチレーションに起因して）入力ビームが繰り返し速度に比べて遅い時間軸において変動しているときに、出力ビームの平均を安定させることにある。入射パワーが、特定の程度の減衰をもたらすように同期させられた変調器に入射する。入射パワーに変動が存在する場合、減衰を調節して、全体としてのレーザパワーが一定の値に保たれるように保証するため、マイクロミラーの解放時刻に小さなタイミングの変化を加えることができる。到着するビームが、例えば論理「１」および論理「０」のパルス列であって、シンチレーションによって生じるよりゆっくりとした強度の変動を有する場合、システムを、このゆっくりと変化する変動が安定化によって取り除かれるが、より高速な論理「１」と論理「０」除との間の変化は残されて、後に検出できるように、変調することができる。この手法を、自由空間光レーザ通信システムにおいて信号を検出するために、大きなダイナミックレンジの検出器の代わりに用いることができる。
【００６７】
空間光変調モードにおいては、アレイ上のマイクロミラーのグループが、ビームを横切る空間パターンを生み出すように解放される。これを、例えば信号処理およびビームの操縦など、他の空間光変調器が現在使用されているさまざまな用途に使用することができる。
【００６８】
ビーム操縦モードにおいて、個々の素子のそれぞれの解放時刻が制御される場合、マイクロミラーアレイの各素子の位相を効果的に制御することが可能である。各素子の位相を制御することによって、伝搬方向を制御することができる。したがって、これを、それぞれのマイクロミラーを個々に制御できる場合に、レーザビームを所定の方向に操縦するために使用することができる。
【００６９】
ファブリーペローエタロンの特徴をさらに詳しく検討すると、ＭＯＥＭＳミラー−基板変調器の透過を、反射率がシリコンへと適用されるフレネル反射の式によって決定される２つの反射面を有する単純な構造としてのシステムを検討することによってモデル化できる。ファブリーペローエタロンの透過は、
【数１】
2009512890.tif 000003
によって与えられ、ここでφ＝（４π／λ）Ｌｃｏｓθである。ここで、プレート間の間隔が、Ｌによって与えられ、入射の角度が、θによって与えられ、波長は、λである。各表面の反射率が、Ｒによって与えられ、透過が、Ｔによって与えられる。
【００７０】
変調器およびコーナーキューブ逆反射器の組み合わせを考えると、反射される光が、２つの偏光成分の組み合わせによって決定される点が、注目される。インタロゲータが円偏光または非偏光である場合を考えると、到着の角度にかかわらず、２つの偏光の等しい強度が存在する。入射光が、等しい量の「ｓ」偏光（Ｅベクトルが表面に平行）および「ｐ」偏光（Ｅベクトルが透過および反射ビームの平面内にある）の光を有する。それぞれの偏光が異なる量だけ透過し、部分偏光のビームが、コーナーキューブ逆反射器へと進入する。この偏光が、逆反射器の性質に応じて、さまざまな量で解消される。コーナーキューブ逆反射器が金属でコートされている場合には、偏光特性は保存される。コーナーキューブ逆反射器が誘電体に拠る場合には、特定の角度について偏光が大きく解消される。後者の場合、近似として、ビームの偏光がコーナーキューブによって完全に解消されると仮定される。偏光が解消されたビームが、エタロンを通過して第２の経路を、光源へと戻る。
【００７１】
したがって、変調された逆反射は、
【数２】
2009512890.tif 000004
となると考えられ、ここで、Ｃｒｅｔｒｏは、逆反射の成分であり、ＴｓおよびＴｐは、それぞれｓおよびｐ偏光の透過であり、Ｒｃｃは、コーナーキューブの反射率である。
【００７２】
通過において、透過光の位相Ψは、
【数３】
2009512890.tif 000005
なる関係によって与えられる。ここでφ＝（４π／λ）Ｌｃｏｓθである。
【００７３】
次に、図１０を参照すると、変調器のマイクロミラーの制御の論理図が示されている。ローカルレジスタが初期化１０１され、タイミングパルスが検出１０２されたとき、タイミングカウンタが開始１０３される。パルスが、予想の時間窓に到着１０４した場合、角度または角度範囲（あるいは、角度範囲または「ビン」）の割り出し１０６から１０９が行われる。次いで、明らかにされた入射角度に応答して、マイクロミラーの解放時刻１１１および次のパルスの予想到着時刻１１２が決定される。これは、有利には、ルックアップテーブル１１０を利用することができる。次いで、プロセスが、新たな予想窓について繰り返し１１３される。変調器は、予想窓内のパルスの受信に繰り返し失敗する場合には、終了１０５でき、あるいは他の適切な動作をとることができる。
【００７４】
次に、図１１を参照すると、上述のシステムのさらなる増強において、２方向（二重）通信に対応するための方法、すなわちインタロゲータから変調装置へとデータを伝送すると同時に、変調装置からインタロゲータへとデータを伝送するための能力が提案される。この方法は、連続するパルス間の時間の変化がデータをエンコードするために使用されるタイムシフトキーイング（ＴＳＫ）として知られる技法を使用する。
【００７５】
上述のシステムにおいて、インタロゲータのレーザが、規則的な時間間隔の一連のパルスを送信する。一実施形態においては、パルスは、長さが７ｎｓであって、２００ｋＨｚの繰り返し速度で発せられる（５マイクロ秒ごとに１パルス）。変調装置は、各パルスの到着を記録する光検出器を備える。
【００７６】
変調装置は、パルス間の時間の長さを知り、この情報を各パルスの到着時に正しい透過率（「１」については高い透過率、「０」については低い透過率）をもたらすようにＭＥＯＭＳ変調器を設定するために使用する。反射されたパルスが、インタロゲータに位置する光検出器によって受信される。変調器は、インタロゲータとの通信のためにオンオフキーイング（ＯＯＫ）を使用する。すなわち、インタロゲータによって受信される信号が、パルスのピーク高さに関して２値に符号化された一様な間隔のパルス列を含む。変調器の透過率は、典型的には１００ｎｓ以上の時間的尺度にて変化する。
【００７７】
しかしながら、本発明者らは、変調装置におけるパルス到着時刻の測定を、インタロゲータから変調装置へとデータを伝送する手段として使用できることに気が付いた。情報を、パルス１１４間の時間の長さを変化させることによるタイムシフトキーイング（ＴＳＫ）を使用することによって送信することができる。
【００７８】
第１の実施形態においては、パルス間の間隔の変化が、各パルスが依然として変調器の動作の正しい「時間窓」に到着して、正しく「１」についての高い透過率および「０」についての低い透過率を見るように、充分に小さくされる。このためには、ダウンリンク信号（インタロゲータから変調装置への信号）の時間シフトが１００ｎｓ未満でなければならないと考えられる。変調器が、ＯＯＫを使用して信号を変調し、インタロゲータから受信された信号に与えられていたタイムシフトキーイングに依存したパルスタイミングの特徴を有するオン−オフのパルス列１１５を生成する。このやり方で、両方向について同時にデータ伝送を行うことができる。
【００７９】
次に図１２ａおよび図１２ｂを参照すると、第２の実施形態においては、変調装置による検出がより容易であると考えられるより大きなタイミングの変化を使用することができる。この実施形態においては、データの伝送が、タグからインタロゲータへのデータ伝送とインタロゲータからタグへのデータ伝送との間で交互する。この動作モードにおいては、インタロゲータが、タグからのデータを欲するときに等間隔の「論理１」パルスを送信し、その後に送信を停止して受信を開始するようにタグへと合図するため、パルス間の時間を変化させる。このモードでの動作において、「論理０」のインタロゲータパルスの場合は、トランスポンダにトランスポンダにおける到着角度に依存する変調の生成を生じさせ、したがってこのトランスポンダパルスは、インタロゲータへのデータの源として適さない。受信したパルスにＯＯＫ変調を確実に加えることは、現実的でない。
【００８０】
単純な手法が、半二重の通信をもたらし、すなわち一度に一方向の通信のみが生じる。この構成においては、インタロゲータからのパルスが、トランスポンダによって、時間間隔Ｑ１に入る場合に論理「１」として解釈され、時間間隔Ｑ２に入る場合に論理「０」として解釈される。これは、インタロゲータによって発せられるパルス間の時間間隔ｔ０、ｔ１を変化させることに対応する。時間間隔Ｑ１は、マイクロミラーがプルダウン位置から基板から最大の距離の位置へと移動するときの期間をカバーし、時間間隔が、マイクロミラーがこの位置に達した後の短い期間をカバーする。期間Ｑ１におけるインタロゲータパルスの正確なタイミングは、トランスポンダからの逆反射がインタロゲータへとデータを送信するための最適なコントラストを有するように保証する較正モードによって決定される。インタロゲータからのパルスが、時間間隔Ｑ２において到着するとき、逆反射係数は、主として変調器への入射角度に依存し、したがって逆反射信号には有用な情報は含まれない。したがって、インタロゲータがトランスポンダへとデータを通信できるが、そのようにしているとき、トランスポンダからインタロゲータへとデータを通信する能力は損なわれる。インタロゲータは、通信を終えたときに、「論理１」のパルス列を送信し、タグがこれを変調して、インタロゲータへと返すことができる。
【００８１】
第３の実施形態においては、大きな時間シフトが、しかしながらトランスポンダからインタロゲータへの通信が「論理０」のパルスを送信するインタロゲータによって中断されないようなやり方で使用される。インタロゲータは、論理「１」のパルスを通常のやり方で送信する一方で、トランスポンダのマイクロミラー素子の振動の周期に正確に等しい量だけ遅延させることによって論理「０」のパルスを示す。トランスポンダは、論理「１」のパルスが検出されるときは常に通常のやり方で動作するが、論理「１」のパルスが検出できない場合は、マイクロミラーをホールドダウンシステムに拘束するために電子システムを使用する前に、マイクロミラーに第２の振動を生成させる。この場合、論理「１」のインタロゲータパルスについて生み出される変調が、論理「０」のインタロゲータパルスにも複製される。これの利点は、トランスポンダからインタロゲータへのデータストリームが、インタロゲータからトランスポンダへのデータの送信によって中断されることがない点にあるが、欠点は、データレートが低下する点にある。このような仕組みが図１３に示されており、インタロゲータからの論理「１」の受信の結果として、変調器が、受信したパルスを、マイクロミラーの第１の振動の際に変調している。第１の振動の際に到着する論理「１」のパルスを検出し、トランスポンダは、ただ１回の振動の後にマイクロミラーを保持する。
【００８２】
第１の振動の際の所定の時間間隔１３２の間に論理「１」が受信１３０されない場合、マイクロミラーは、第２の振動への続行を許され、第２の振動の際に到着する論理「０」を受信することができる。第２の振動の際の所定の時間間隔１３３の間に論理「０」が受信１３１される場合、それが変調され、マイクロミラーが第２の振動の完了時にのみプルダウンされる。図１３は、論理「１」が受信されない場合の２つの完全な振動を示している。
【００８３】
図１４は、マイクロミラーの１つの振動周期の２つの半分を、第１の半分Ｑ１がインタロゲータの論理「１」のパルスによってインタロゲートされ、第２の半分Ｑ２がインタロゲータの論理「０」のパルスによってインタロゲートされるように使用できる方法を説明している。
【００８４】
そのような通信の実施形態の１つにおいて、インタロゲータが、タグへのインタロゲーション信号の入射の角度に関する情報を割り出す「時間較正モード」を開始する。インタロゲータは、適切なデータを取得した後で、「通信モード」へと移行し、時間較正モードにおいて得たデータを通信プロセスを最適化するために使用する。「時間較正モード」において、インタロゲータは、上述した角度測定モードと同様に、隣接パルス間にいくつかの異なるタイミングを有する一連のタイミングパルスを送信する。トランスポンダの検出器が、タイミングパルスの到着時刻を検出するが、到着角度の割り出しは試みない。トランスポンダ駆動回路が、固定の時間遅延の後に変調器について解放および拘束のプロセスを開始して、後続のパルスを変調し、インタロゲータへと逆反射させる。インタロゲータの受信器が、異なる時間遅延のそれぞれについて信号強度を測定し、どの時間間隔が最強の信号をもたらすかを特定する。この間隔が、トランスポンダからの論理「１」の信号が最大の信号強度を有するようなタイミングに相当し、インタロゲータは、このパルス間のタイミングを後の通信モードにおいて使用する。この結果、通信モードにおけるパルス繰り返し速度が、トランスポンダの変調器への入射の角度の変化に従って変化することに留意されたい。
【００８５】
通信モードにおいて、トランスポンダは、２つのやり方のうちの一方で、「解放および拘束」機構を動作させる。第１のやり方においては、固定の時間遅延の後で解放および拘束のプロセスを開始させ、論理「１」を示すためにパルスを変調し、論理「０」を示すために変調を行わない（あるいは、この反対）。第２のやり方においては、論理「１」を示すために標準の時間遅延にて変調を行い、論理「０」を示すために異なる時間遅延にて変調を行う。タグは、インタロゲータから到着するパルスの間隔を測定でき、そこから、タグへの入射の角度についての情報を導出することができる。したがって、変調器が論理「０」について最小の信号強度をもたらすように、最適な時間遅延を計算することができる。前者の利点は、実現が最も簡単である点にある。後者の技法の利点は、最大の角度範囲にわたって論理「１」と論理「０」との間に最大のコントラストがもたらされる点にある。
【００８６】
第３の通信の実施形態においては、インタロゲータが、第２の通信の実施形態において述べたやり方と同じやり方で機能するが、さらにインタロゲータレーザが、タイムシフトキーイングを使用してトランスポンダへとメッセージを送信すると同時に、オン−オフキーイングによってトランスポンダからメッセージを受信する。
【００８７】
明確な区別のために必要とされる時間シフトが２００ナノ秒よりも大きい場合を検討すると、トランスポンダへのメッセージの送信にタイムシフトキーイングを使用するインタロゲータおよびインタロゲータへのメッセージの送信にタイムシフトキーイングを使用するトランスポンダによって、インタロゲータおよびトランスポンダが双方向の通信に関与できる少なくとも３つのやり方が存在する。
【００８８】
さらに図１４を参照し、変調周期におけるキー時間を検討する。マイクロミラーが、時刻ｔＲにおいて解放され、最初の最大透過率が、解放時刻の時間ｔｘ後に生じる。マイクロミラーは、振動周期ｔｃを有し、第２の最大値は、マイクロミラーがホールドダウンへと戻るときに生じる。対称ゆえ、これは解放時刻の時間ｔｃ−ｔｘ後に生じる。振動周期ｔｃは、マイクロミラーに固定のパラメータであり、透過時間ｔｘは、角度に依存し、通信モードが開始される前の動作の較正モードによって割り出されている。
【００８９】
変調器は、透過の最大の前の時間ｔｍにおいて生じる透過の最小を有する。対称ゆえ、マイクロミラーの解放時刻の時間ｔｃ−ｔｘ＋ｔｍ後に生じる第２の透過の最小が存在する。時間ｔｍも角度にのみ依存し、時間ｔｘが較正モードから割り出される場合、例えばルックアップテーブルを使用することによって値ｔｍを割り出すことが可能である。トランスポンダは、ｔｘのすべての異なる値についてｔｍの知られている値が存在するようにルックアップテーブルを有することができる。
【００９０】
さらに図１４を参照し、変調器がインタロゲータへと論理「１」を送信すべく先のインタロゲータパルスの時間ｔＲ後に解放され、論理「０」を送信すべく先のインタロゲータパルスの時間ｔＲ＋ｔｍ後に解放されるトランスポンダを検討する。インタロゲータは、トランスポンダへと論理「１」を送信する場合には、先のインタロゲータパルスの時間ｔＲ＋ｔｘ後にパルスを送信し、トランスポンダへと論理「０」を送信する場合には、先のインタロゲータパルスの時間ｔＲ＋ｔｍ＋ｔｃ−ｔｘ後にパルスを送信するように時間を決めている。
【００９１】
トランスポンダの変調器は、論理「１」のインタロゲータパルスによってインタロゲートされた場合、論理「１」についてはマイクロミラーの解放の時間ｔｘ後にパルスを変調し、論理「０」については解放時刻に対する時間ｔｘ−ｔｍにおいてパルスを変調する。これは、時間間隔Ｑ１の機械的振動の第１の半分において生じ、インタロゲータパルスがトランスポンダによって論理「１」として解釈される。インタロゲータへの論理「１」の信号は、最大の逆反射であり、論理「０」の信号は、最小の逆反射である。
【００９２】
インタロゲータが論理「０」のデータビットを含む場合、それは時刻ｔＲ＋ｔｍ＋ｔｃ−ｔｘにおいて送信される。変調器がインタロゲータへと論理「１」のパルスを送信している場合、マイクロミラーが時間ｔＲにおいて解放され、インタロゲータパルスは、解放時刻に対する時間ｔｃ＋ｔｍ−ｔｘにおいて到着する。上述のように、変調器は、最小強度の逆反射をインタロゲータの検出器へと送信する。変調器が論理「０」のパルスを送信している場合、マイクロミラーは先のインタロゲータパルスの時間ｔＲ＋ｔｍ後に解放され、インタロゲータパルスは、マイクロミラーの解放の時間ｔｃ−ｔｘ後に変調器に到着する。上述のように、インタロゲータパルスが最大の透過を通過し、インタロゲータにおける論理「０」信号は最大値を有する。
【００９３】
したがって、インタロゲータパルスがトランスポンダへと論理「１」を送信しているとき、トランスポンダは、論理「１」について最大強度の信号である信号を送り返し、論理「０」について最小強度の信号を送り返す。インタロゲータパルスがトランスポンダへと論理「０」を送信しているとき、トランスポンダは、論理「１」について最小強度の信号である信号を送り返し、論理「０」について最大強度の信号を送り返す。インタロゲータの検出器が、論理「０」のインタロゲータパルスを論理「１」のインタロゲータパルスから区別する時間シフトを検出し、したがって全二重モードにおいてトランスポンダへとデータを送信しているときに、インタロゲータが到着する信号を論理「１」または論理「０」として正しく解釈するように保証するアルゴリズムを単刀直入に実現できる。
【００９４】
上述のタイミングが、ｔｃ、ｔＲ、ｔｍ、およびｔｘに依存することに注目できる。パラメータｔｃおよびｔＲは、トランスポンダの設計によって固定され、ｔｘは、通信に先立って何らかの方法で測定される。さらに、ルックアップテーブルなどの方法によって、ユーザは、設定プロセスにおいて測定されたｔｘの値をｔｍの値を割り出すために使用することができる。したがって、インタロゲータおよびトランスポンダは、すべてのパラメータを推定でき、全二重モードの通信リンクの最大の性能をもたらすことができる。
【００９５】
次に、図１５を参照し、トランスポンダが論理「１」について変調器を駆動し、論理「０」について変調器をホールドダウンに保つように構成されている場合の最適なタイミングを検討する。変調器が、先のインタロゲータパルスの時間ｔＲ後に解放され、インタロゲータパルスが論理「１」でエンコードされている場合には、最大の透過がもたらされるよう、時間ｔＲ＋ｔｘにおいてトランスポンダに到着するように時間を決めている。インタロゲータパルスが論理「０」でエンコードされている場合には、透過のための最良の時間は、時間ｔＲ＋ｔｃ−ｔｘにあり、マイクロミラーがプルダウン位置へと戻るときの最大の透過が存在する時刻に一致する。この場合、トランスポンダによって発せられる論理状態は、図１４の構成によって例示される状況と対照的に、インタロゲータパルスの論理状態に左右されない。
【００９６】
当然ながら、インタロゲータの動作モードは、効果的な通信を保証するため、トランスポンダの動作モード（すなわち、図１４の動作モードまたは図１５の動作モード）に適合していなければならない。
【００９７】
このようなシステムに使用されるレーザは、タイムシフトキーイングを実現するように容易に構成することが可能である。ダイオードレーザは、短い光パルスの放射をもたらす短い電気パルスによって駆動される。パルスのエネルギーを、エルビウムをドープしたファイバ増幅器に通すことによって高める。レーザパルスのタイミングを、単に電気駆動パルスのタイミングを変えることによって変化させることができる。
【００９８】
この手法の１つの応用は、変調装置へと「ハンドシェイク」メッセージを提供することにある。変調装置が、インタロゲータが認証された通信相手であるか否かを判断するために、時間シフトパルスの特定のパターンまたは符号を要求することができる。他の応用は、変調装置からのデータの流れをインタロゲータによって制御できるようにすることにある。例えば、変調装置がデータをブロックで送信する場合、インタロゲータが、各ブロックの送信をいつ開始すべきかを伝えることができる。データの流れの制御を、大気の乱れによって引き起こされるレーザ強度の変動（シンチレーション）によって生じるエラーを克服するために使用することができる。エラー補正コードまたはピーク強度の単純な測定が、データ喪失の可能性を示している場合、インタロゲータが、データの再送信を求めるべく変調装置と通信することができる。インタロゲータが、戻りの信号が特定のレベルを下回るときに、時間シフトされたパルスを送信でき、変調装置が、先のデータのブロックを速やかに再送信することができる。
【００９９】
他の用途は、取得システムがより効率的にトランスポンダからの光を集めることができるよう、レーザインタロゲータがビーム位置決めシステムを最適化させているときにトランスポンダに特定のパルスのパターンを発するように指示することにある。
【０１００】
さらなる用途は、変調装置の初期の較正にあると考えられる。インタロゲータが変調装置を照射し、変調装置が、自身の設定について微細な調節を実行する。インタロゲータが、最適な性能が達成されたときにその旨を伝えるべく、変調装置と通信できる。
【０１０１】
本明細書の教示を理解しようとする当業者にとって明らかであるとおり、本明細書に提示したあらゆる範囲および装置の意義は、求める効果を失うことなく拡張または変更が可能である。
【図面の簡単な説明】
【０１０２】
【図１ａ】本発明による典型的なマイクロミラー素子および典型的なばね構造の斜視図を示している（基板は示されていない）。
【図１ｂ】本発明によるマイクロミラー素子および典型的なばね構造の側面図を示している。
【図１ｃ】本発明によるマイクロミラー素子のアレイの平面図を示している。
【図２】本発明によるマイクロミラーと基板との間の離間の時間変化の概略のグラフを示している。
【図３ａ】垂直な入射角度について、本発明による光変調器の透過特性の概略のグラフを示している。
【図３ｂ】６０度の入射角度について、本発明による光変調器の透過特性の概略のグラフを示している。
【図４】本発明による変調器の時間に対する動的応答の概略のグラフを示している。
【図５】本発明による印加電圧を透過信号と比較する概略のグラフを示している。
【図６】本発明による第１の変調装置の概略図を示している。
【図７】本発明による第２の変調装置の概略図を示している。
【図８】逆反射器を取り入れてなる本発明による第３の変調装置の概略図を示している。
【図９ａ】逆反射器を取り入れてなる本発明による第４の変調装置の概略図を示している。
【図９ｂ】逆反射器を取り入れてなる本発明による第５の変調装置の概略図を示している。
【図９ｃ】本発明によるシステムの概略図を示している。
【図１０】本発明による変調方法のフロー図を示している。
【図１１】本発明に従い、タイムシフトキーイングによってエンコードされている受信パルス、および変調されて送信されるオン−オフキーイングパルスの概略のグラフを示している。
【図１２ａ】本発明によるインタロゲータパルスのタイミングの第１の例の概略のグラフを示している。
【図１２ｂ】本発明によるインタロゲータパルスのタイミングの第２の例の概略のグラフを示している。
【図１３】本発明による通信の第２の例の概略図を示している。
【図１４】本発明による通信の第３の例の概略図を示している。
【図１５】本発明による通信の第４の例の概略図を示している。
【図１ａ】
2009512890.tif 000006
【図１ｂ】
2009512890.tif 000007
【図１ｃ】
2009512890.tif 000008
【図２】
2009512890.tif 000009
【図３ａ】
2009512890.tif 000010
【図３ｂ】
2009512890.tif 000011
【図４】
2009512890.tif 000012
【図５】
2009512890.tif 000013
【図６】
2009512890.tif 000014
【図７】
2009512890.tif 000015
【図８】
2009512890.tif 000016
【図９ａ】
2009512890.tif 000017
【図９ｂ】
2009512890.tif 000018
【図９ｃ】
2009512890.tif 000019
【図１０】
2009512890.tif 000020
【図１１】
2009512890.tif 000021
【図１２ａ】
2009512890.tif 000022
【図１２ｂ】
2009512890.tif 000023
【図１３】
2009512890.tif 000024
【図１４】
2009512890.tif 000025
【図１５】
2009512890.tif 000026
【国際調査報告】
2009512890.tif 000027
2009512890.tif 000028
2009512890.tif 000029
2009512890.tif 000030